(57)【特許請求の範囲】
【請求項１】
少なくとも前後一対のニードルベッドを有し、少なくともその一方のニードルベッドが左右に移動可能な横編機を使用して、編成領域内の空針からなる増目形成用針(Ｈ)に、新たにループを形成する増目形成方法において、
前記増目形成方法が、
ａ：  給糸口を増目形成用針(Ｈ)を越えて一方向へ移動させ、この間に、給糸口の進行方向に従って、増目形成用針の手前に位置しかつループを係止する少なくとも１つの針(Ｋ〜Ｉ)に給糸して、少なくとも１つの新たなループを形成し、前記増目形成用針に給糸せずに、給糸口の進行方向に従って増目形成用針の次のループを係止する１本の針(Ｇ)に給糸して、新たなループを形成するためのステップ、
ｂ：  給糸口を反転移動させるとともに、前記増目形成用針(Ｈ)のみに給糸して新たなループを形成するステップ、
ｃ：  再度給糸口を反転させて前記一方向へ移動させ、この間に、前記増目形成用針(Ｈ)、及び前記増目形成用針の次のループを係止する１本の針(Ｇ)のいずれにも給糸せずに、給糸口の進行方向に沿って、次のループを係止する針から給糸してループを形成するためのステップ、
からなることを特徴とする増目形成方法。
【請求項２】
各々、インサイド側編地端とアウトサイド側編地端とを有する前側編地と後側編地とからなり、前側編地と後側編地とを、インサイド側編地端とインサイド側編地端、及びアウトサイド側編地端とアウトサイド側編地端とで連結して筒状にした袖に対して、増目形成を行うと共に、
少なくとも一対の増目形成用針を、前編地のインサイド側編地端の付近と、後編地のインサイド側編地端の付近とに位置させ、
前側編地と後側編地の一方の編地に対して、前記ステップａ〜ｃを行うと共に、
前記ステップａでは、連結されたインサイド側編地端の付近からアウトサイド側編地端側へ、給糸口を増目形成用針を越えて移動させ、この間に、前記一方の編地のインサイド側編地端に位置する針から、前記少なくとも１つの針への給糸を開始し、
次いで前記ステップｂを行った後に、
前記ステップｃでは、連結されたアウトサイド側編地端の付近まで給糸口を移動させ、この間に前記一方の編地のアウトサイド側編地端に位置する針まで給糸し、
次いで、前側編地と後側編地の他方の編地に対して、前記ステップａ〜ｃを行うと共に、
前記ステップａでは、連結されたアウトサイド側編地端の付近からインサイド側編地端側へ、給糸口を増目形成用針を越えて移動させ、この間に、前記他方の編地のアウトサイド側編地端に位置する針から、前記少なくとも１つの針への給糸を開始し、
次いで前記ステップｂを行った後に、
前記ステップｃでは、連結されたインサイド側編地端の付近まで給糸口を移動させ、この間に前記他方の編地のインサイド側編地端に位置する針まで給糸する、
請求項１の増目形成方法。
【発明の詳細な説明】
【０００１】
【発明の属する技術分野】
本発明は横編機で編地を編成する際に、ループを係止していない針に新たなループを形成する増目形成方法に関する。
【０００２】
【従来の技術】
横編機での編地の編成過程では、編地を所望の形状とするため、増目および減らし目を行うことにより、ウエール数を増減させる成型編が行われる。一定編幅で反物状に編成した編地から必要な形状のパーツをカットし、カットしたパーツ同士を縫製作業により縫い合わせる方法に比べ、成型編を行うと、編機上で完成状態に近い形状の編地を編成することができ、製造工程を減らすことができる。またカットロスがなく、その分の編糸を節約することができる。したがって、製造コストを削減する有効な方法として、成型編の方法が種々検討されている。
【０００３】
成型編を行うための一つの技術として、ループを係止していない空針に新たにループを形成することにより、編幅を増加させる増やし編成がある。増やし編成では、ループを係止していない針に新たなループ(以下増目という)を形成する。従来の増目形成方法では、前コースのループが存在しない空針に給糸することにより、増目を形成していた。したがって、増目形成箇所では、図５に示すように、新たに形成したループ１０１が次コースのループ１０３により引き上げられ、増目形成箇所に大きな孔１０５が発生し、見栄えが悪くなるという問題があった。この孔１０５の発生は、新たに形成されたループ１０１を保持する前コースのループが存在せず、新たに形成した増目に隣接する２つのループ１０７，１０９間が開いてしまうことに起因する。
【０００４】
この問題を解決するため、本出願人は、増目形成箇所に生じる孔を目立ち難くする増目形成方法を特公昭６２−５２０６３で開示している。この公報に開示される増目形成方法では、前後異なるニードルベッド上に対向配置される第１、第２の針の内で、第１の針に係止されるループを第２の針に目移しするととともに、第１の針に給糸する。第１の針に新たに形成されるループは、前記第１の針から第２の針に目移ししたループをくぐらせるように形成し、第２の針に目移ししたループをニードルベッドの横方向に移動した(以下ラッキングという)後、元のニードルベッド上の空針に移して増目を形成する。この増目形成方法では、前後の異なるニードルベッド上に設けられる針間での目移しを利用して、増目の形成が行われる。
【０００５】
【発明が解決しようとする課題】
本発明の課題は、増目の形成を行う際に、増目形成箇所に発生する孔が目立ち難くする増目形成方法において、一方のニードルベッド上の針のみを使用して増目を形成する新規な増目形成方法を提供することにある。
【０００６】
【発明の構成・作用効果】
この発明は、少なくとも前後一対のニードルベッドを有し、少なくともその一方のニードルベッドが左右に移動可能な横編機を使用して、編成領域内の空針からなる増目形成用針(Ｈ)に、新たにループを形成する増目形成方法において、
前記増目形成方法が、
ａ：  給糸口を増目形成用針(Ｈ)を越えて一方向へ移動させ、この間に、給糸口の進行方向に従って、増目形成用針の手前に位置しかつループを係止する少なくとも１つの針(Ｋ〜Ｉ)に給糸して、少なくとも１つの新たなループを形成し、前記増目形成用針に給糸せずに、給糸口の進行方向に従って増目形成用針の次のループを係止する１本の針(Ｇ)に給糸して、新たなループを形成するためのステップ、
ｂ：  給糸口を反転移動させるとともに、前記増目形成用針(Ｈ)のみに給糸して新たなループを形成するステップ、
ｃ：  再度給糸口を反転させて前記一方向へ移動させ、この間に、前記増目形成用針(Ｈ)、及び前記増目形成用針の次のループを係止する１本の針(Ｇ)のいずれにも給糸せずに、給糸口の進行方向に沿って、次のループを係止する針から給糸してループを形成するためのステップ、
からなることを特徴とする。
【０００７】
ここで増目形成用針は、実施例のように、既に存在するループを側方へ移動させることで形成しても良く、あるいはこのような移動を行わず、存在する空針をそのまま増目形成用針に割り当てても良い。
【０００８】
この発明は例えば、各々、インサイド側編地端とアウトサイド側編地端とを有する前側編地と後側編地とからなり、前側編地と後側編地とを、インサイド側編地端とインサイド側編地端、及びアウトサイド側編地端とアウトサイド側編地端とで連結して筒状にした袖に対する増目形成に適用される。
【０００９】
この場合、好ましくは、
少なくとも一対の増目形成用針を、前編地のインサイド側編地端の付近と、後編地のインサイド側編地端の付近とに位置させ、
前側編地と後側編地の一方の編地に対して、前記ステップａ〜ｃを行うと共に、
前記ステップａでは、連結されたインサイド側編地端の付近からアウトサイド側編地端側へ、給糸口を増目形成用針を越えて移動させ、この間に、前記一方の編地のインサイド側編地端に位置する針から、前記少なくとも１つの針への給糸を開始し、
次いで前記ステップｂを行った後に、
前記ステップｃでは、連結されたアウトサイド側編地端の付近まで給糸口を移動させ、この間に前記一方の編地のアウトサイド側編地端に位置する針まで給糸し、
次いで、前側編地と後側編地の他方の編地に対して、前記ステップａ〜ｃを行うと共に、
前記ステップａでは、連結されたアウトサイド側編地端の付近からインサイド側編地端側へ、給糸口を増目形成用針を越えて移動させ、この間に、前記他方の編地のアウトサイド側編地端に位置する針から、前記少なくとも１つの針への給糸を開始し、
次いで前記ステップｂを行った後に、
前記ステップｃでは、連結されたインサイド側編地端の付近まで給糸口を移動させ、この間に前記他方の編地のインサイド側編地端に位置する針まで給糸する。
【００１０】
このようにすれば、筒状の袖の内側にファッションラインを形成して、増目形成ができる。なおここで編地のインサイド側編地端やアウトサイド側編地端に、ループを係止した針があるのは当然である。
【００１１】
この発明では、新たに形成された増目ループは、他のループと同様に、前コースのループに保持された状態となるため、次コースのループにより引き上げられることがない。また、新たに形成されたループの両隣のループが連続して形成されるため、両隣のループが互いに直結され、増目形成箇所が広がらない。さらに新たなに形成されたループの両側の渡り糸は、増目形成箇所の同じ側へと引かれ、この内一方の渡り糸が増目形成箇所の中央部付近を通過する。そしてこの渡り糸は、増目形成箇所の孔を隠す役割をする。これらのために、増目形成箇所に生じる孔を目立ち難くできる。
【００１２】
上記のようにこの発明では、一つのニードルベッドのみを使用して増目を形成できるため、糸切れの発生しやすい編糸を使用する場合や、小さな度目で編成するため、増目されるループが細かなループになる場合でも、目落ち等の不具合が発生することなく、綺麗な増目を形成することができる。さらに簡単にかつ効率的に増目を形成できる。
【００１３】
【発明の実施の形態】
この発明の実施例の増目形成方法を、図面を参照して詳細に説明する。なお、実施例では、説明を分かり易くするため、実際の編成で使用される針本数に比べ、極く少数の針のみを示して説明する。本発明の増目形成方法は、少なくとも前後一対のニードルベッドを有し、その何れか一方または双方のニードルベッドが左右移動可能に構成される二枚ベッド横編機で実施される。以下に示す実施例では、例として、後ベッドが左右移動可能な二枚ベッド横編機を使用する。本発明の増目形成方法は、編幅を増加させる増やし編成以外に、編幅は一定のままで、編幅内の空針に増目を形成する編成にも利用可能である。以下の実施例では、内増やし編成を行う場合を例に説明する。
【００１４】
図１−Ａは、実施例の増目形成方法により増目が形成された袖部材１を示し、図１−Ｂは、図１−Ａの袖部材１を図１−Ａの矢印Ｘ方向から見た図である。この袖部材１は、別途編成される身頃部(図示無し)と接続する際に、肩側となるアウトサイド側編地端Ａと、脇側となるインサイド側編地端Ｂとを有する。そして、前ニードルベッドで編成される前側編地と、後ニードルベッド上で編成される後側編地とが、それらのアウトサイド側編地端Ａ，Ａで連結され、同様にインサイド側の編地端Ｂ，Ｂで連結され、筒状の編地として編成される。この袖部材１では、前側編地および後側編地のインサイド側の編地端Ｂから、３ウエール分アウトサイド側に位置するウエールにおいて増目が行われ、所定コース毎に形成された増目がファッションラインＣ，Ｄとして現れる。実施例では、筒状編地を編成する過程で、内増やしを行う目的で増目の形成を行う場合を説明する。しかし本発明の増目形成方法は、筒状編地を編成する場合に限られるものではない。
【００１５】
図２のコース１は、増目が形成される直前のコースまで、袖部材１の編成が完了した状態を示す。実施例では、筒状編地を編成する過程で、前後両ニードルベッドを使用して編成される編組織の編成や、目移しを可能とするため、前側編地編成用の針(アルファベットの大文字で示す)を奇数番目の針に、後側編地編成用の針(アルファベットの小文字で示す)を偶数番目の針に割り当てる。このため、各編地が対向するニードルベッド上に目移し用の空針を有する状態で、編成を行う。図２のコース１において、前ベッドの針Ｂ・Ｃ・Ｄ・・・Ｈ・Ｉ・Ｊに係止されているのが前側編地のループであり、後ベッドの針ｂ・ｃ・ｄ・・・ｈ・ｉ・ｊに係止されているのが後側編地のループである。前側編地と後側編地は、その両端部において給糸口の進行方向を反転させ、前側編地と後側編地に対し環状に編糸を供給して編成することにより、前側編地と後側編地がその両端部で連続する筒状編地として編成される。
【００１６】
実施例では、前側編地では、前ベッドの針Ｇに係止されているループと針Ｈに係止されているループ間に増目を形成し、後側編地では、後ベッドの針ｇに係止されているループと針ｈに係止されているループ間に増目を形成する。コース２では、前ベッド上の増目を形成する針(以下増目形成用針という)である前ベッドの針Ｈのループ、およびその外側に位置する前ベッドの針Ｉ・Ｊのループを、対向する後ベッド上の針Ｈ・Ｉ・Ｊにそれぞれ目移しする。コース３では、後ベッドを右に針２本分ラッキングし、前側編地形成用の針と後側編地形成用の針とが対向する状態とする。この後、後ベッドに目移しした前側編地のループと、後ベッドの増目形成用針である後ベッドの針ｈのループ、およびその外側に位置する針ｉ・ｊに係止されているループとを、対向する前ベッドの針に目移しする。コース４では、後ベッドを左に針２本分ラッキングしてコース１と同じ位置へと戻した後、前ベッドの針ｉ・ｊ・ｋに係止されている後側編地のループを後ベッドの針ｉ・ｊ・ｋに目移しする。これらにより、増目形成用針である前ベッドの針Ｈおよび後ベッドの針ｈを、ループを係止していない空針の状態とする。
【００１７】
次にコース５では、前コースの編成が完了した時点で例えば図の右端(図１のインサイド側編地端付近の位置)に停止していた給糸口を、図の左向きに移動させて、前ベッドの針Ｋ・Ｊ・Ｉに給糸する。次に給糸口を、増目を形成する前ベッドの針Ｈに給糸せずに通過させて、針Ｈより給糸口９の進行方向前方に位置する前側編地編成用の針Ｇに給糸する。
【００１８】
コース６では、給糸口９を反転させるとともに、前記空針とした増目形成用針である前ベッドの針Ｈに給糸する。この時、前ベッドの針Ｈには前コースのループが存在しないため、針Ｈに供給された編糸はループを形成することなく、針Ｈのフック内に係止された状態となる。実施例ではこのように空針に給糸する編成を空針ニットといい、空針ニットで針のフック内に係止された編糸を空針ニットのループ１１という。空針ニットの編成動作は、ニット動作でもタック動作でも良い。コース７では、再度給糸口９を反転させ、コース６でループを形成した前ベッドの針Ｇを通過させ、針Ｇから見て給糸口９の進行方向前方に位置するループを係止した針Ｆから、針Ｅ・Ｄ・Ｃ・Ｂにわたって、アウトサイド側編地端の針まで給糸する。
【００１９】
コース８では、後側編地に増目を形成するため、後ベッドの針ｂ・ｃ・ｄ・ｅ・ｆ・ｇに給糸する。次いで、給糸口は、増目形成用針ｈに給糸せずに通過して、給糸口９の進行方向前方に位置する後ベッドの針ｉに給糸する。コース９では、給糸口９を反転するとともに、増目形成用針である後ベッドの針ｈに給糸し、空針ニットのループを形成する。コース１０では、再度給糸口９を反転させるとともに、コース９でループを形成した後ベッドの針ｉを通過させ、針ｉの給糸口９の進行方向前方のループを係止している針ｊおよび針ｋに給糸する。そして、コース１１で前ベッド上の前側編地編成用の針Ｋ・Ｊ・Ｉ・・・Ｄ・Ｃ・Ｂに給糸し、コース１２で後ベッド上の後側編地編成用の針ｂ・ｃ・ｄ・・・ｉ・ｊ・ｋに給糸して、前側編地と後側編地に次コースのループを形成する。これらにより、前側編地で１目、後側編地で１目の増目の形成が完了する。上記の増目編成工程を、増目形成箇所が常に前側編地および後側編地のインサイド側の編地端Ｂから４ウエール目となるようにして、適宜コース毎に増目を形成する編成を適宜回数繰り返すと、図１に示す袖部材１が編成される。
【００２０】
実施例でのコース２〜４は増目形成用の空針Ｈ，ｈを用意するためのものであるが、これらのコース２〜４を省略しても良い。即ちコース１の状態で存在する、前ベッドの空針ｇと後ベッドの空針Ｈを増目形成用針に割り当て、コース１に引き続いて、コース５〜１２に対応する編成を行い、一対の増目を行う。この変形例では、増目の形成後に、増目形成用針は、両側に空針が無く、他の箇所と異なる状態におかれる。ここで、コース１２に対応する編成が終わると、前ベッドでは編目は針Ｊまで存在し、後ベッドでは編目は針ｊまで存在する。そこで例えば、コース１２に対応する編成を終えた後に、コース２〜４に対応する編成を行い、増目箇所の前ベッド針Ｈ、後ベッドの針ｈ及びそれらの右側の編目を、針２本分右側へ移動させる。次いで同様にして、前ベッドの針ｇの編目と後ベッドの針Ｈの編目を、それぞれ針１本分右側へ移動させる。このようにすると針ベッドの状態は、実施例の図３のコース１２の状態と一致する。
【００２１】
上記の編成により増目が形成された、前側編地の増目形成箇所のループ構造を図４に示す。なお図４のアルファベットＦ〜Ｊは、図３のコース１２の編成が完了した時点で、そのループが係止されている針を示す。図４に示すように、針Ｈに新たに形成されたループ１１は、針Ｇで形成された前コースのループ１３により保持された状態となっている。このように、新たに形成されたループ１１が前コースのループ１３により保持された状態となるため、新たに形成されたループ１１が次コースのループ１５により引き上げられることがなく、増目形成箇所に発生する孔を目立ち難くすることができる。また、増目された針Ｈのループ１１からの一方の渡り糸１７が、隣接する針Ｇのループ１３を越えて、針Ｆのループ１９に繋がっているため、新たに形成したループ１１が針Ｆのループ１９が側に引き寄せられる。このため、増目形成箇所を渡り糸１７が塞ぎ、増目形成箇所に発生する孔が目立ち難くなる。また、針Ｉのループ２１と針Ｇのループ２３を渡り糸２５が直線的に連絡し、針Ｉのループ２１と針Ｇのループ２３間の間隔が、図５に示されるループ構造に比べ短くなり、増目形成箇所に発生する孔を目立ち難くすることができる。
【００２２】
上記の実施例では、前側編地編成用の針と後側編地編成用の針を交互に配置し、一本置きの針を使用して編成することにより、前側編地と後側編地を二層状に編成している。このように実施例では、前側編地も後側編地も一本置きの針を使用して編成しているため、針Ｈの給糸口の進行方向前方に位置するループを係止している針とは、後側編地編成用の針である前ベッドの針ｇではなく、同じ前側編地編成用の針である針Ｇをさす。
【００２３】
上記の実施例では、筒状の袖部材１での増目形成を示したが、筒状の身頃部材での増目形成もできる。実施例の増目形成を給糸口の運動から見れば、増目形成用針を越えての給糸口の移動、給糸口の反転と増目形成用針への給糸、給糸口の再反転の３段階からなっている。筒状の身頃部材の場合、実施例と同様に、例えば前側身頃の一端部付近で、図２，図３のコース５〜７と同様にして増目形成を行い、前側身頃の脇付近に増目を形成する。図３のコース７の編成を、前側身頃の例えば中央部まで行った後、コース７に続けて図３のコース８を前側身頃の他端付近まで行い、引き続きコース９，１０を行う。このように、前側身頃の他端の脇付近でも増目を形成する。次に後側身頃も、同様に両脇付近で増目形成をすればよい。
【００２４】
上記の実施例では、前後一対のニードルベッドを備えた二枚ベッド横編機で編成する場合を例に説明したが、本発明の増目形成方法は二枚ベッド横編機を用いることに限られるものではない。例えば、前後一対の下部ニードルベッドの少なくとも一方のニードルベッド上に、針またはトランスファージャックのような目移し部材を備えた上部ベッドが設けられる、三枚または四枚ベッド横編機でも、実施可能である。また、上記の実施例は編幅を増やす場合を例に説明したが、編幅の増減に係わらず、編地を編成する過程で、編地内のループを目移しにより隣接する同じ編地のループと重ね合わせて空針とし、この空針に新たにループを形成するような、寄せ柄編成の場合にも適用できるし、あるいはこれらを組み合わせて編成することもできる。このような場合には、増目形成用針に係止されているループを側方に目移しし、あるいはこのループ及びこれに隣接する適宜数のループを側方に目移しすることにより、空針を得ることができる。
【図面の簡単な説明】
【図１】  本発明の増目形成方法を利用して編成される袖部材１を示す図で、図１−Ａは袖部材の正面図で、図１−ＢはＸ方向から見た袖部材の側面図である。
【図２】  実施例の増目形成方法を示す編成コース図である。
【図３】  実施例の増目形成方法を示す編成コース図である。
【図４】  本発明の増目形成方法により増目が形成された編地の、増目形成箇所のループ図である。
【図５】  従来の増目形成方法により増目が形成された編地の、増目形成箇所のループ図である。
【符号の説明】
１…袖部材、９…給糸口、１１…増目ループ、１３…前コースのループ、１５…次コースのループ、１０１…増目、１０３…次コースのループ、１０５…孔、Ａ…アウトサイド側編地端、Ｂ…インサイド側編地端、Ｃ，Ｄ…ファッションライン
【図１】
0003673107.tif 000002
【図２】
0003673107.tif 000003
【図３】
0003673107.tif 000004
【図４】
0003673107.tif 000005
【図５】
0003673107.tif 000006